(57)【要約】【課題】電子機器が２つの異なる種類の伝送信号を受信し、画面上の使用スペースを低減し、２つの異なるアンテナを有するアンテナ・モジュールを使用するデュアル・アンテナ構造を備える電子機器およびその切換え方法を提供すること。【解決手段】画面上に配置された第１のアンテナおよび第２のアンテナを備えるアンテナ・モジュールであって、前記第１のアンテナおよび前記第２のアンテナは前記アンテナ・モジュールにパッケージ化され、前記第１のアンテナは前記第１の伝送信号を受信し、前記第２のアンテナは前記第２の伝送信号を受信するアンテナ・モジュールと、前記第１のアンテナに結合された、第１のアンテナ復号化装置と、前記第２のアンテナに結合された、第２のアンテナ復号化装置と、前記第１のアンテナ復号化装置および前記第２のアンテナ復号化装置に結合されたコントローラと、前記コントローラの制御を受け取る制御モジュールとを備える。【選択図】図１
2007251912.tif 000002
【特許請求の範囲】
【請求項１】
画面上に配置された、第１の伝送信号および第２の伝送信号を受信する第１のアンテナおよび第２のアンテナを備えるアンテナ・モジュールであって、
前記第１のアンテナおよび前記第２のアンテナは前記アンテナ・モジュールにパッケージ化され、前記第１のアンテナは前記第１の伝送信号を受信し、前記第２のアンテナは前記第２の伝送信号を受信するアンテナ・モジュールと、
前記第１のアンテナに結合された、前記第１のアンテナを制御し、前記第１の伝送信号を復号化する第１のアンテナ復号化装置と、
前記第２のアンテナに結合された、前記第２のアンテナを制御し、前記第２の伝送信号を復号化する第２のアンテナ復号化装置と、
前記第１のアンテナ復号化装置および前記第２のアンテナ復号化装置に結合されたコントローラと、
前記コントローラ、前記第１のアンテナ復号化装置および前記第２のアンテナ復号化装置に結合された、前記コントローラの制御を受け取る制御モジュールと、
を備えることを特徴とするデュアル・アンテナ構造を備える電子機器。
【請求項２】
前記第１の伝送信号は第３世代（３Ｇ）移動電話信号であり、前記第２の伝送信号はＷｉ−Ｆｉ無線信号であることを特徴とする請求項１に記載の電子機器。
【請求項３】
前記制御モジュールは、前記第１のアンテナ復号化装置または前記第２のアンテナ復号化装置を駆動するための前記ソフトウェア・モジュールの制御を受け取るソフトウェア・モジュールであることを特徴とする請求項１に記載の電子機器。
【請求項４】
前記第１のアンテナ復号化装置および前記第２のアンテナ復号化装置は、別々に、前記ソフトウェア・モジュールの制御を受け取り、前記第１のアンテナ復号化装置または前記第２のアンテナ復号化装置を駆動するためのドライバ・プログラムを含むことを特徴とする請求項３に記載の電子機器。
【請求項５】
前記コントローラは組み込み式コントローラであることを特徴とする請求項１に記載の電子機器。
【請求項６】
第１の伝送信号および第２の伝送信号を受信する第１のアンテナ・モジュールと、
前記第２の伝送信号および第３の伝送信号を受信する第２のアンテナ・モジュールと、
前記第１のアンテナ・モジュールおよび前記第２のアンテナ・モジュールに結合された、前記第１の伝送信号を復号化する第１のアンテナ復号化装置と、
前記第１のアンテナ・モジュールおよび前記第２のアンテナ・モジュールに結合された、前記第２の伝送信号を復号化する第２のアンテナ復号化装置と、
前記第２のアンテナ・モジュールに結合された、前記第３の伝送信号を復号化する第３のアンテナ復号化装置と、
前記第１のアンテナ復号化装置、前記第２のアンテナ復号化装置および前記第３のアンテナ復号化装置に、別々に結合されたコントローラと、
前記コントローラの制御を受け取る制御モジュールと、
を備えるデュアル・アンテナ構造を備える電子機器であって、
前記第２の伝送信号が、前記電子機器が位置する周囲に存在するとき、前記コントローラは、前記第３の伝送信号を受信している間に、前記第２のアンテナ復号化装置を駆動して前記第２の伝送信号を最優先で使って無線伝送を行わせるように前記制御モジュールを制御し、前記第２の伝送信号が前記周囲に存在しないとき、前記コントローラは、前記第３の伝送信号を受信している間に、前記第１のアンテナ復号化装置を駆動して前記第１の伝送信号を最優先で使って無線伝送を行わせるように前記制御モジュールを制御することを特徴とする電子機器。
【請求項７】
前記第１の伝送信号は第３世代（３Ｇ）移動電話信号であり、前記第２の伝送信号はＷｉ−Ｆｉ無線信号であり、前記第３の伝送信号はアナログまたはディジタルのテレビ無線信号であることを特徴とする請求項６に記載の電子機器。
【請求項８】
前記第１のアンテナ・モジュールは、前記電子機器の画面の一辺に配置され、信号間の干渉を防止するために前記第１のアンテナ復号化装置または前記第２のアンテナ復号化装置によってオンまたはオフにされ、前記第１のアンテナ・モジュールは第１のアンテナおよび第２のアンテナをさらに備え、前記第１のアンテナは、前記第１の伝送信号を送受信するために前記第１のアンテナ復号化装置に結合され、前記第２のアンテナは、前記第２の伝送信号を送受信するために前記第２のアンテナ復号化装置に結合されることを特徴とする請求項６に記載の電子機器。
【請求項９】
前記第２のアンテナ・モジュールは、前記電子機器の画面の別の一辺に配置され、信号間の干渉を防止するために前記第１および第２のアンテナ復号化装置または前記第３のアンテナ復号化装置によってオンまたはオフにされ、前記第２のアンテナ・モジュールは第３のアンテナおよび第４のアンテナをさらに備え、前記第３のアンテナは、前記第３の伝送信号を送受信するために前記第３のアンテナ復号化装置に結合され、前記第４のアンテナは、前記第２の伝送信号を送受信するために前記第２のアンテナ復号化装置に結合されることを特徴とする請求項６に記載の電子機器。
【請求項１０】
前記制御モジュールは、前記第１のアンテナ復号化装置、前記第２のアンテナ復号化装置または前記第３のアンテナ復号化装置を駆動するための前記コントローラの制御を受け取るソフトウェア・モジュールであることを特徴とする請求項６に記載の電子機器。
【請求項１１】
前記第１のアンテナ復号化装置、前記第２のアンテナ復号化装置および前記第３のアンテナ復号化装置は、別々に、前記第１のアンテナ復号化装置、前記第２のアンテナ復号化装置または前記第３のアンテナ復号化装置を駆動するための前記ソフトウェア・モジュールの制御を受け取るドライバ・プログラムを含むことを特徴とする請求項１０に記載の電子機器。
【請求項１２】
第１のアンテナ・モジュールと、第２のアンテナ・モジュールと、第１のアンテナ復号化装置と、第２のアンテナ復号化装置と、コントローラと、制御モジュールとを含み、前記第１のアンテナ・モジュールおよび前記第２のアンテナ・モジュールが、別々に、第１のアンテナおよび第２のアンテナを含む、デュアル・アンテナ構造を備える電子機器がオンにされたときにアンテナを切り換える方法であって、
前記電子機器をオンにするステップと、
前記コントローラを使って前記第２のアンテナ復号化装置を制御し、前記第２のアンテナを駆動するステップと、
前記第２のアンテナを使って第２の伝送信号を受信するステップと、
前記コントローラが、前記第２のアンテナの受信状態に従って、周囲に前記第２の伝送信号が存在するか否か判定するステップと、
前記第２の伝送信号が前記周囲に存在するとき、前記第２のアンテナを使って前記第２の伝送信号を送受信するステップと、
前記第２の伝送信号が前記周囲に存在しないとき、前記コントローラを使って前記第１のアンテナ復号化装置を制御し、前記第１のアンテナを駆動するステップと、
前記第１のアンテナを使って前記第１の伝送信号を受信するステップと
を含むことを特徴とするアンテナを切り換える方法。
【請求項１３】
前記第１の伝送信号は第３世代（３Ｇ）移動電話信号であり、前記第２の伝送信号はＷｉ−Ｆｉ無線信号であることを特徴とする請求項１２に記載のアンテナを切り換える方法。
【請求項１４】
前記コントローラは、前記第２の伝送信号の強度に従って前記第２の伝送信号が周囲に存在するか否か判定することを特徴とする請求項１２に記載のアンテナを切り換える方法。
【請求項１５】
前記コントローラは、特定の期間の後で前記第２の伝送信号の状態を検出し、または前記コントローラは、押ボタンを押すことによってトリガされて前記第２の伝送信号の状態を検出することを特徴とする請求項１２に記載のアンテナを切り換える方法。
【請求項１６】
前記特定の期間は数秒間であることを特徴とする請求項１５に記載のアンテナを切り換える方法。
【請求項１７】
第１のアンテナ・モジュールと、第２のアンテナ・モジュールと、第１のアンテナ復号化装置と、第２のアンテナ復号化装置と、コントローラと制御モジュールとを備え、前記第１のアンテナ・モジュールが第１のアンテナおよび第２のアンテナを含み、前記第２のアンテナ・モジュールが第３のアンテナおよび第４のアンテナを含む、デュアル・アンテナ構造を備える電子機器のアンテナを切り換える方法であって、
前記電子機器が前記第１のアンテナおよび前記第３のアンテナを使って第１の伝送信号を受信するステップと、
前記電子機器が検出指示を受け取るステップと、
前記コントローラを使って前記第１のアンテナをオフにし、前記第２のアンテナおよび前記第２のアンテナ復号化装置をオンにして第２の伝送信号を受信するステップと、
前記コントローラが、前記第２のアンテナの受信状態に従って、前記第２の伝送信号が周囲に存在するか否か判定するステップと、
前記第２の伝送信号が前記周囲にあるとき、前記制御モジュールを使って前記第３のアンテナをオフにし、前記第４のアンテナをオンにして前記第２の伝送信号を送受信するステップと、
前記第２のアンテナおよび前記第４のアンテナを使って前記第２の伝送信号を送受信するステップと、
前記第２の伝送信号が前記周囲にあるとき、前記制御モジュールを使って前記第２のアンテナ復号化装置および前記第２のアンテナをオフにし、前記第１のアンテナを駆動するステップと、
前記第１のアンテナおよび前記第３のアンテナを使って前記第１の伝送信号を受信するステップと
を含むことを特徴とするアンテナを切り換える方法。
【請求項１８】
前記電子機器はノート型コンピュータ、デスクトップ・コンピュータまたは携帯情報端末（ＰＤＡ）移動電話機であることを特徴とする請求項１７に記載のアンテナを切り換える方法。
【請求項１９】
前記第１の伝送信号は第３世代（３Ｇ）移動電話信号であり、前記第２の伝送信号はＷｉ−Ｆｉ無線信号であることを特徴とする請求項１７に記載のアンテナを切り換える方法。
【請求項２０】
前記コントローラは、前記第２の伝送信号の強度に従って、前記第２の伝送信号が周囲に存在するか否か判定することを特徴とする請求項１７に記載のアンテナを切り換える方法。
【請求項２１】
前記検出指示は、特定の期間の後で自動的に生成され、または手動で生成されることを特徴とする請求項１７に記載のアンテナを切り換える方法。
【請求項２２】
前記特定の期間は数秒間であり、前記検出指示は、手動で押ボタンを押すことによって生成されることを特徴とする請求項１７に記載のアンテナを切り換える方法。
【発明の詳細な説明】
【技術分野】
【０００１】
本発明は、デュアル・アンテナ構造を備える電子機器およびその切換え方法に関し、より詳細には、単一のアンテナ・モジュールにおいて２つの異なるアンテナ構造を使用することによって信号を送信するデュアル・アンテナ構造を備える電子機器およびその切換え方法に関する。
【背景技術】
【０００２】
一般に、２種類の無線伝送信号を受信することのできる現在の電子通信機器は、異なる周波数の無線伝送信号を受信するために２つの異なるアンテナを切り換えるスイッチを用いる。
【０００３】
２００３年１１月２０日に出願され、２００５年５月１１日に公開された、「Ｍｅｔｈｏｄ  ａｎｄ  ａｐｐａｒａｔｕｓ  ｏｆ  ｓｗｉｔｃｈｉｎｇ  ａｎｔｅｎｎａｓ  ｆｏｒ  ｃｏｍｐｕｔｅｒ  ｗｉｒｅｌｅｓｓ  ｎｅｔｗｏｒｋ」という名称の台湾特許第２３２３６９号は、ベースおよび画面を有するコンピュータと、画面上にインストールされ、少なくとも１つのスイッチに結合された複数のアンテナを有するアンテナ・モジュールと、スイッチおよびコンピュータ・システムに結合され、アンテナ・モジュールを選択的に切り換えるためにコンピュータ・システムによって駆動、制御される制御装置とを備え、任意の画面モードにおけるアンテナ・モジュールは、選択されたアンテナが他の選択されていないアンテナよりもアンテナの適切な動作位置を有するように制御装置によって選択された少なくとも１つのアンテナを有するものである。この発明は、信号を受信するために画面上にインストールされたいくつかのアンテナの中からアンテナを選択し、それによって、ノート型コンピュータが適切な通信を行うことができ、無線信号伝送が画面のモードによって影響を受けないようにする。
【０００４】
さらに、２００４年８月１１日に出願され、２００５年１０月１１日に公開された、「Ａｐｐａｒａｔｕｓ  ａｎｄ  ｍｅｔｈｏｄ  ｆｏｒ  ａｎｔｅｎｎａ  ｓｉｇｎａｌ  ｓｗｉｔｃｈｉｎｇ」という名称の台湾特許第２４１７８５号は、信号を受信する第１のアンテナと、信号を受信する第２のアンテナと、第１および第２のアンテナに結合され、切換え信号によって、アンテナに入力される信号を受信するアンテナの一方に切り換わるアンテナ切換え回路と、アンテナ切換え回路の信号を受け取り、出力する信号受け取りモジュールと、信号受け取りモジュールからの信号が受け取られた後で、サージの存在を検出するサージ検出モジュールとを備え、サージが存在する場合には、選択された信号が反転され、アンテナ切換え回路に送られて、信号が２つのアンテナのうちの他方によって出力されるように制御される。しかしながら、上述の特許発明は両方とも、電子機器が異なる周波数の無線伝送信号を受信することができるように、異なるアンテナを切り換えるスイッチを用いるものであり、そのような構成には、なお、さらなる改善が必要である。
【発明の開示】
【発明が解決しようとする課題】
【０００５】
したがって、本発明の第１の目的は、電子機器が２つの異なる種類の伝送信号を受信し、画面上の使用スペースを低減し、さらに、アンテナの動作時に干渉を生じるという欠点を克服することができるように、信号モジュールにおいて２つの異なるアンテナを有するアンテナ・モジュールを使用するデュアル・アンテナ構造を備える電子機器およびその切換え方法を提供することである。
【０００６】
本発明の別の目的は、電子機器が２つの異なる種類の伝送信号を受信し、画面上の使用スペースを低減し、さらに、アンテナ動作時に干渉を生じるという欠点を克服することができるように、アンテナ・モジュールにおいて２つの異なるアンテナを使用するデュアル・アンテナ構造を備えるアンテナ・モジュールを提供することである。
【課題を解決するための手段】
【０００７】
上述の目的を達成するために、本発明のデュアル・アンテナ構造を備える電子機器は、第１の伝送信号または第２の伝送信号を受信する第１のアンテナ・モジュールと、第１の伝送信号または第２の伝送信号を受信する第２のアンテナ・モジュールと、第１のアンテナ・モジュールおよび第２のアンテナ・モジュールに結合された、第１の伝送信号を復号化する第１のアンテナ復号化装置と、第１のアンテナ・モジュールおよび第２のアンテナ・モジュールに結合された、第２の伝送信号を復号化する第２のアンテナ復号化装置と、第１のアンテナ復号化装置および第２のアンテナ復号化装置に結合されたコントローラと、コントローラ、第１のアンテナ復号化装置および第２のアンテナ復号化装置に結合された、コントローラの制御を受け取る制御モジュールとを備え、電子機器が位置する周囲(environment)に第２の伝送信号が存在する場合、コントローラは、第２のアンテナ復号化装置を駆動して第２の伝送信号を最優先で使って無線伝送を行わせるように制御モジュールを制御し、第２の伝送信号がその周囲に存在しない場合、コントローラは、第１のアンテナ復号化装置を駆動して第１の伝送信号を使って無線伝送を行わせるように制御モジュールを制御すること、からなる。
又、前記第１の伝送信号は第３世代（３Ｇ）移動電話信号であり、前記第２の伝送信号はＷｉ−Ｆｉ無線信号であることが好適である。
又、前記制御モジュールは、前記第１のアンテナ復号化装置または前記第２のアンテナ復号化装置を駆動するための前記ソフトウェア・モジュールの制御を受け取るソフトウェア・モジュールであることが好適である。
又、前記第１のアンテナ復号化装置および前記第２のアンテナ復号化装置は、別々に、前記ソフトウェア・モジュールの制御を受け取り、前記第１のアンテナ復号化装置または前記第２のアンテナ復号化装置を駆動するためのドライバ・プログラムを含むことが好適である。
又、前記コントローラは組み込み式コントローラであることが好適である。
【０００８】
上述の目的を達成するために、本発明のデュアル・アンテナ構造を備える電子機器は、第１の伝送信号または第２の伝送信号を受信する第１のアンテナ・モジュールと、第２の伝送信号または第３の伝送信号を受信する第２のアンテナ・モジュールと、第１のアンテナ・モジュールおよび第２のアンテナ・モジュールに結合された、第１の伝送信号を復号化する第１のアンテナ復号化装置と、第１のアンテナ・モジュールおよび第２のアンテナ・モジュールに結合された、第２の伝送信号を復号化する第２のアンテナ復号化装置と、第２のアンテナ・モジュールに結合された、第３の伝送信号を復号化する第３のアンテナ復号化装置と、第１のアンテナ復号化装置、第２のアンテナ復号化装置および第３のアンテナ復号化装置に別々に結合されたコントローラと、コントローラの制御を受け取る制御モジュールとを備え、電子機器が位置する周囲に第２の伝送信号が存在する場合、コントローラは、第３の伝送信号を受信している間に、第２のアンテナ復号化装置を駆動して第２の伝送信号を最優先で使って無線伝送を行わせるように制御モジュールを制御し、その周囲に第２の伝送信号が存在しない場合、第３の伝送信号を受信している間に、第１のアンテナ復号化装置を駆動して第１の伝送信号を使って無線伝送を行わせるように制御モジュールを制御することからなる。
又、前記第１の伝送信号は第３世代（３Ｇ）移動電話信号であり、前記第２の伝送信号はＷｉ−Ｆｉ無線信号であり、前記第３の伝送信号はアナログまたはディジタルのテレビ無線信号であることが好適である。
又、前記第１のアンテナ・モジュールは、前記電子機器の画面の一辺に配置され、信号間の干渉を防止するために前記第１のアンテナ復号化装置または前記第２のアンテナ復号化装置によってオンまたはオフにされ、前記第１のアンテナ・モジュールは第１のアンテナおよび第２のアンテナをさらに備え、前記第１のアンテナは、前記第１の伝送信号を送受信するために前記第１のアンテナ復号化装置に結合され、前記第２のアンテナは、前記第２の伝送信号を送受信するために前記第２のアンテナ復号化装置に結合されることが好適である。
又、前記第２のアンテナ・モジュールは、前記電子機器の画面の別の一辺に配置され、信号間の干渉を防止するために前記第１および第２のアンテナ復号化装置または前記第３のアンテナ復号化装置によってオンまたはオフにされ、前記第２のアンテナ・モジュールは第３のアンテナおよび第４のアンテナをさらに備え、前記第３のアンテナは、前記第３の伝送信号を送受信するために前記第３のアンテナ復号化装置に結合され、前記第４のアンテナは、前記第２の伝送信号を送受信するために前記第２のアンテナ復号化装置に結合されることが好適である。
又、前記制御モジュールは、前記第１のアンテナ復号化装置、前記第２のアンテナ復号化装置または前記第３のアンテナ復号化装置を駆動するための前記コントローラの制御を受け取るソフトウェア・モジュールであることが好適である。
又、前記第１のアンテナ復号化装置、前記第２のアンテナ復号化装置および前記第３のアンテナ復号化装置は、別々に、前記第１のアンテナ復号化装置、前記第２のアンテナ復号化装置または前記第３のアンテナ復号化装置を駆動するための前記ソフトウェア・モジュールの制御を受け取るドライバ・プログラムを含むことが好適である。
【０００９】
上述の目的を達成するために本発明のアンテナで切り換える方法は、第１のアンテナ・モジュールと、第２のアンテナ・モジュールと、第１のアンテナ復号化装置と、第２のアンテナ復号化装置と、コントローラと制御モジュールとを備え、第１のアンテナ・モジュールおよび第２のアンテナ・モジュールが別々に第１のアンテナおよび第２のアンテナを有する、本発明によるデュアル・アンテナ構造を備える電子機器がオンにされたときにアンテナを切り換える方法は、電子機器をオンにするステップと、コントローラを使って第２のアンテナ復号化装置を制御し、第２のアンテナを駆動するステップと、第２のアンテナを使って第２の伝送信号を受信するステップと、コントローラが第２のアンテナの受信状態に従って第２の伝送信号の存在を判定するステップと、第２の伝送信号が存在する場合、第２のアンテナを使って第２の伝送信号を送受信するステップと、第２の伝送信号が存在しない場合、コントローラが、第１のアンテナ復号化装置を制御し、第１のアンテナを駆動するステップと、第１のアンテナを使って第１の伝送信号を受信するステップとを含む、ことからなる。
又、前記第１の伝送信号は第３世代（３Ｇ）移動電話信号であり、前記第２の伝送信号はＷｉ−Ｆｉ無線信号であることが好適である。
又、前記コントローラは、前記第２の伝送信号の強度に従って前記第２の伝送信号が周囲に存在するか否か判定することが好適である。
又、前記コントローラは、特定の期間の後で前記第２の伝送信号の状態を検出し、または前記コントローラは、押ボタンを押すことによってトリガされて前記第２の伝送信号の状態を検出することが好適である。
又、前記特定の期間は数秒間であることが好適である。
【００１０】
上述の目的を達成するために、本発明のアンテナを切り換える方法は、第１のアンテナ・モジュールと、第２のアンテナ・モジュールと、第１のアンテナ復号化装置と、第２のアンテナ復号化装置と、コントローラと制御モジュールとを備え、第１のアンテナ・モジュールが第１のアンテナおよび第２のアンテナを含み、第２のアンテナ・モジュールが第３のアンテナおよび第４のアンテナを含む、本発明のデュアル・アンテナ構造を備える電子機器のアンテナを切り換える方法は、電子機器が第１のアンテナおよび第３のアンテナを使って第１の伝送信号を受信するステップと、電子機器が検出指示を受け取るステップと、コントローラを使って第１のアンテナをオフにし、第２のアンテナをオンにして、第２のアンテナ復号化装置が第２の伝送信号を受け取るステップと、コントローラが、第２のアンテナの受信状態に従って、第２の伝送信号が周囲に存在するか否か判定するステップと、第２の伝送信号が周囲に存在する場合、制御モジュールが、第３のアンテナをオフにし、第４のアンテナをオンにして、第２の伝送信号を送受信するステップと、第２のアンテナおよび第４のアンテナを使って第２の伝送信号を送受信するステップと、第２の伝送信号が周囲に存在する場合、制御モジュールが、第２のアンテナ復号化装置および第２のアンテナをオフにし、第１のアンテナを駆動するステップと、第１のアンテナおよび第３のアンテナを使って第１の伝送信号を受信するステップとを含む、ことからなる。
又、前記電子機器はノート型コンピュータ、デスクトップ・コンピュータまたは携帯情報端末（ＰＤＡ）移動電話機であることが好適である。
又、前記第１の伝送信号は第３世代（３Ｇ）移動電話信号であり、前記第２の伝送信号はＷｉ−Ｆｉ無線信号であることが好適である。
又、前記コントローラは、前記第２の伝送信号の強度に従って、前記第２の伝送信号が周囲に存在するか否か判定することが好適である。
又、前記検出指示は、特定の期間の後で自動的に生成され、または手動で生成されることが好適である。
又、前記特定の期間は数秒間であり、前記検出指示は、手動で押ボタンを押すことによって生成されることが好適である。
【００１１】
上述の目的を達成するために、本発明のデュアル・アンテナ構造を備えるアンテナ・モジュールは、第１のアンテナ復号化装置に結合された、第１の伝送信号を受信する第１のアンテナと、第２のアンテナ復号化装置に結合された、第２の伝送信号を受信する第２のアンテナとを備え、アンテナ・モジュールが位置する周囲に第２の伝送信号が存在する場合、第２のアンテナ復号化装置が、第２の伝送信号を最優先で使って無線伝送を行い、周囲に第２の伝送信号が存在しない場合、第１のアンテナ復号化装置が第１の伝送信号を使って無線伝送を行う。
【発明を実施するための最良の形態】
【００１２】
次に、本発明の様々な実施形態を示す添付の図面を参照して、以下で、本発明の構造、技術的手段および効果をより詳細に説明する。
【００１３】
図１の、本発明の好ましい実施形態によるデュアル・アンテナ構造を備える電子機器の概略的ブロック図を参照すると、それだけに限らないが、ノート型コンピュータ、デスクトップ・コンピュータまたは携帯情報端末（ＰＤＡ）移動電話機を含む、デュアル・アンテナ構造を備える電子機器１は、第１のアンテナ・モジュール１０、第２のアンテナ・モジュール２０、第１のアンテナ復号化装置３０、第２のアンテナ復号化装置４０、コントローラ５０、および制御モジュール６０を備える。
【００１４】
第１のアンテナ・モジュール１０は第１の伝送信号または第２の伝送信号を受信するために、それだけに限らないが、左上角を含む、電子機器の画面の一辺に配置される。第１の伝送信号は、それだけに限らないが、第３世代（３Ｇ）移動電話信号を含み、第２の伝送信号は、それだけに限らないが、Ｗｉ−Ｆｉ無線信号を含む。第１のアンテナ・モジュール１０は、信号間で発生する干渉を防止するために、第１のアンテナ復号化装置３０または第２のアンテナ復号化装置４０によってオンまたはオフにされ得る。第１のアンテナ・モジュール１０は、さらに、第１のアンテナ１１および第２のアンテナ１２を備え、第１のアンテナ１１は第１の伝送信号を送受信するために第１のアンテナ復号化装置３０に結合され、第２のアンテナ１２は、第２の伝送信号を送受信するために第２のアンテナ復号化装置４０に結合される。第１のアンテナ１１および第２のアンテナ１２は、製品要件に従って第１のアンテナ・モジュール１０にパッケージ化され得る。さらに、第１のアンテナ・モジュール１０は、好ましくは、それだけに限らないが、電子機器１の表示画面の左上角を含む一辺にインストールされる。
【００１５】
第２のアンテナ・モジュール２０は、第１の伝送信号または第２の伝送信号を受信するために、それだけに限らないが、電子機器の右上角を含む別の一辺に配置される。また、第２のアンテナ・モジュール２０は、信号間で発生する干渉を防止するために、第１のアンテナ復号化装置３０または第２のアンテナ復号化装置４０によってオンまたはオフにされる。第２のアンテナ・モジュール２０は、さらに、第３のアンテナ２１および第４のアンテナ２２を備え、第３のアンテナ２１は第１の伝送信号を送受信するために第１のアンテナ復号化装置３０に結合され、第４のアンテナ２２は、第２の伝送信号を送受信するために第２のアンテナ復号化装置４０に結合される。第３のアンテナ２１および第２のアンテナ２２は、製品要件に従って第２のアンテナ・モジュール２０にパッケージ化され得る。さらに、第２のアンテナ・モジュール２０は、好ましくは、それだけに限らないが、電子機器１の表示画面の右上角を含む別の一辺にインストールされる。
【００１６】
第１のアンテナ復号化装置３０は、第１の伝送信号を復号化するために、第１のアンテナ・モジュール１０および第２のアンテナ・モジュール２０に結合される。
【００１７】
第２のアンテナ復号化装置４０は、第２の伝送信号を復号化するために、第１のアンテナ・モジュール１０および第２のアンテナ・モジュール２０に結合される。
【００１８】
コントローラ５０は、第１のアンテナ復号化装置３０、第２のアンテナ復号化装置４０および制御モジュール６０、に結合され、コントローラ５０は、それだけに限らないが、伝送コストを節約するために、第２の伝送信号の状態に従って、第１のアンテナ１１と第３のアンテナ２１を選択的に切り換えて第１の伝送信号を送受信し、または第２のアンテナ１２と第４のアンテナ２２を選択的に切り換えて第２の伝送信号を送受信するように切り換えられ得る組み込み式コントローラ（ＥＣ）を含む。
【００１９】
制御モジュール６０は、コントローラ５０の制御を受け取るために、コントローラ５０、第１のアンテナ復号化装置３０および第２のアンテナ復号化装置４０に結合される。制御モジュール６０は、第１のアンテナ復号化装置３０または第２のアンテナ復号化装置４０を駆動するためのコントローラ５０の制御を受け取るソフトウェア・モジュールである。さらに、第１のアンテナ復号化装置３０および第２のアンテナ復号化装置４０は、別々に、第１のアンテナ復号化装置３０または第２のアンテナ復号化装置４０を駆動するためのソフトウェア・モジュール６０の制御を受け取ることのできるドライバ・プログラム３１、４１を含む。
【００２０】
図２の、本発明によるデュアル・アンテナ構造を備える電子機器のレイアウトの概略図を参照すると、第１のアンテナ・モジュール１０は、好ましくは、電子機器１の表示画面の左上側にインストールされ、第２のアンテナ・モジュール２０は、好ましくは、電子機器１の表示画面の右上側にインストールされ、第１のアンテナ復号化装置３０、第２のアンテナ復号化装置４０、コントローラ５０および制御モジュール６０は電子機器１の本体に配置される。電子機器１が位置する周囲に第２の伝送信号が存在する場合、コントローラ５０は、伝送コストを節約するために、第２のアンテナ復号化装置４０を駆動して第２の伝送信号を最優先で使って無線伝送を行わせるように制御モジュール６０を制御する。第２の伝送信号がその周囲に存在しない場合、コントローラ５０は、第１のアンテナ復号化装置３０を駆動して第１の伝送信号を使って無線伝送を行わせるように制御モジュール６０を制御する。本発明のデュアル・アンテナ構造を備える電子機器は、同じ構造の第１のアンテナ・モジュール１０および第２のアンテナ・モジュール２０を使用して、電子機器１の画面上の使用可能なスペースを節約するだけでなく、各構成要素のコストも節約する。したがって、本発明は、明確に、従来のデュアル・アンテナ構造を備える電子機器の欠点を克服することができる。
【００２１】
図３の、本発明の別の好ましい実施形態によるデュアル・アンテナ構造を備える電子機器の概略的ブロック図を参照すると、それだけに限らないが、ノート型コンピュータ、デスクトップ・コンピュータまたは携帯情報端末（ＰＤＡ）移動電話機を含む、デュアル・アンテナ構造を備える電子機器２は、第１のアンテナ・モジュール１１０、第２のアンテナ・モジュール１２０、第１のアンテナ復号化装置１３０、第２のアンテナ復号化装置１４０、第３のアンテナ復号化装置１５０、コントローラ１６０、および制御モジュール１７０を備える。
【００２２】
第１のアンテナ・モジュール１１０は、第１の伝送信号または第２の伝送信号を受信するために、電子機器の画面の一辺に配置され、第１の伝送信号は、それだけに限らないが、第３世代（３Ｇ）移動電話信号を含み、第２の伝送信号は、それだけに限らないが、Ｗｉ−Ｆｉ無線信号を含み、第１のアンテナ・モジュール１１０は、信号間で発生する干渉を防止するために、第１のアンテナ復号化装置１３０または第２のアンテナ復号化装置１４０によってオンまたはオフにされ得る。第１のアンテナ・モジュール１１０は、さらに、第１のアンテナ１１１および第２のアンテナ１１２を備え、第１のアンテナ１１１は、第１の伝送信号を送受信するために第１のアンテナ復号化装置１３０に結合され、第２のアンテナ１１２は、第２の伝送信号を送受信するために第２のアンテナ復号化装置１４０に結合される。さらに、第１のアンテナ・モジュール１１０は、好ましくは、それだけに限らないが、電子機器２の表示画面の左上側を含む一辺にインストールされる。
【００２３】
第２のアンテナ・モジュール１２０は、第２の伝送信号または第３の伝送信号を受信するために、電子機器の画面の別の一辺に配置され、第３の伝送信号は、それだけに限らないが、アナログまたはディジタルのテレビ無線信号を含み、第２のアンテナ・モジュール１２０は、信号間で発生する干渉を防止するために、第２のアンテナ復号化装置１４０または第３のアンテナ復号化装置１５０によってオンまたはオフにされ得る。第２のアンテナ・モジュール１２０は、さらに、第３のアンテナ１２１および第４のアンテナ１２２を備え、第３のアンテナ１２１は、第３の伝送信号を送受信するために第３のアンテナ復号化装置１５０に結合され、第４のアンテナ１２２は、第２の伝送信号を送受信するために第２のアンテナ復号化装置１４０に結合される。さらに、第２のアンテナ・モジュール１２０は、好ましくは、それだけに限らないが、電子機器２の表示画面の右上側を含む別の一辺にインストールされる。
【００２４】
第１のアンテナ復号化装置１３０は、第１の伝送信号を復号化するために第１のアンテナ・モジュール１１０に結合される。
【００２５】
第２のアンテナ復号化装置１４０は、第２の伝送信号を復号化するために第１のアンテナ・モジュール１１０および第２のアンテナ・モジュール１２０に結合される。
【００２６】
第３のアンテナ復号化装置１５０は、第３の伝送信号を復号化するために、第２のアンテナ・モジュール１２０に結合される。
【００２７】
コントローラ１６０は、第１のアンテナ復号化装置１３０、第２のアンテナ復号化装置１４０、第３のアンテナ復号化装置１５０および制御モジュール１７０に結合される。また、コントローラ１６０は、それだけに限らないが、組み込み式コントローラ（ＥＣ）を含み、伝送コストを節約するために、第４のアンテナ１２２が第３の伝送信号の受信に使用されている間に、第２の伝送信号の状態に従って第１のアンテナ１１１に切り換えて第１の伝送信号を送受信し、または、第４のアンテナ１２２が第３の伝送信号の受信に使用されている間に、第２のアンテナ１１２および第４のアンテナ１２２を使って第２の伝送信号を送受信するのに使用され得る。
【００２８】
制御モジュール１７０は、コントローラ１６０の制御を受け取ることができる。制御モジュール１７０は、第１のアンテナ復号化装置１３０、第２のアンテナ復号化装置１４０または第３のアンテナ復号化装置１５０を駆動するためのコントローラ１６０の制御を受け取ることのできるソフトウェア・モジュールである。さらに、第１のアンテナ復号化装置１３０、第２のアンテナ復号化装置１４０および第３のアンテナ復号化装置１５０は、別々に、第１のアンテナ復号化装置１３０、第２のアンテナ復号化装置１４０または第３のアンテナ復号化装置１５０を駆動するためのソフトウェア・モジュール１７０の制御を受け取ることのできるドライバ・プログラム１３１、１４１、１５１を含む。
【００２９】
適用時に電子機器２が位置する周囲に第２の伝送信号が存在する場合、コントローラ１６０は、伝送コストを節約するために、第４のアンテナ１２２が第３の伝送信号の受信に使用されている間に、第２のアンテナ復号化装置１４０を駆動して第２の伝送信号を最優先で使って無線伝送を行わせるように制御モジュール１７０を制御する。第２の伝送信号がその周囲に存在しない場合、コントローラ１６０は、第４のアンテナ１２２が第３の伝送信号の受信に使用されている間に、第１のアンテナ復号化装置１３０を駆動して第１の伝送信号を優先して使って無線伝送を行わせるように制御モジュール１７０を制御する。本発明のデュアル・アンテナ構造を備える電子機器２は、同じ構造の第１のアンテナ・モジュール１１０および第２のアンテナ・モジュール１２０を使って、電子機器２の表示画面の使用可能スペースを節約するだけでなく、各構成要素のコストも節約する。さらに、本発明は、アナログまたはディジタルのテレビ無線信号を受信する機能も備え、よって、明確に、従来のデュアル・アンテナ構造を備える電子機器の欠点を克服することができる。
【００３０】
図４の、本発明の好ましい実施形態による、デュアル・アンテナ構造を備える電子機器１がオンにされたときにアンテナを切り換える方法の流れ図を参照する。電子機器１は、第１のアンテナ・モジュール１０、第２のアンテナ・モジュール２０、第１のアンテナ復号化装置３０、第２のアンテナ復号化装置４０、コントローラ５０および制御モジュール６０を備える。第１のアンテナ・モジュール１０および第２のアンテナ・モジュール２０は、別々に、第１のアンテナ１１、２１および第２のアンテナ１２、２２を含む。この方法は、電子機器１をオンにするステップ（ステップ１）と、コントローラ５０を使って第２のアンテナ２２を駆動するように第２のアンテナ復号化装置２０を制御するステップ（ステップ２）と、第２のアンテナ２２を使って第２の伝送信号を受信するステップ（ステップ３）と、コントローラ５０が、第２のアンテナ２２の受信状態に従って、周囲に第２の伝送信号が存在するか否か判定するステップ（ステップ４）と、周囲に第２の伝送信号が存在する場合、第２のアンテナ２２を使って第２の伝送信号を送受信するステップ（ステップ５）と、周囲に第２の伝送信号が存在しない場合、コントローラ５０が、第１のアンテナ１１を駆動するように第１のアンテナ復号化装置３０を制御するステップ（ステップ６）と、第１のアンテナ１１を使って第１の伝送信号を受信するステップ（ステップ７）とを含む。
【００３１】
ステップ１から３で、電子機器１は、電子機器１がオンにされたときに、コントローラ５０を使って第２のアンテナ復号化装置４０を制御し、第２のアンテナ２２を駆動して、第２のアンテナ２２が第２の伝送信号を受信するのに使用され得るようにする。上述の第２の伝送信号はＷｉ−Ｆｉ無線信号である。
【００３２】
ステップ４で、コントローラ５０は、第２のアンテナ２２の受信状態に従って、周囲に第２の伝送信号が存在するか否か判定する。コントローラ５０は、第２の伝送信号の強度（ＲＳＳＩ）に従って周囲に第２の伝送信号が存在するか否か判定する。コントローラ５０は、それだけに限らないが、数秒間を含む特定の時間間隔にわたって第２の伝送信号の状態を自動的に検出することもでき、あるいは押ボタン（図示せず）を使ってコントローラ５０をトリガして第２の伝送信号の状態を検出させる。
【００３３】
ステップ５で、電子機器１が位置する周囲に第２の伝送信号が存在しない場合、電子機器１は、伝送コストを節約するために、第２のアンテナ２２を使った第２の伝送信号の送受信を開始する。
【００３４】
ステップ６および７で、電子機器１が位置する周囲に第２の伝送信号が存在せず、または第２の伝送信号の強度が十分に大きくない場合、コントローラ５０は、第１のアンテナ１１を駆動し、第１のアンテナ１１を使って第１の伝送信号を受信するように第１のアンテナ復号化装置３０を制御する。電子機器１がオンにされたときに電子機器１のアンテナを切り換える上述の方法を用いれば、第１の伝送信号と第２の伝送信号の安定した切り換えが実現され、伝送コストが節約できる。
【００３５】
図５の、本発明の好ましい実施形態による、デュアル・アンテナ構造を備える電子機器が使用されるときにアンテナを切り換える方法の流れ図を参照する。電子機器１は、第１のアンテナ・モジュール１０、第２のアンテナ・モジュール２０、第１のアンテナ復号化装置３０、第２のアンテナ復号化装置４０、コントローラ５０および制御モジュール６０を備える。第１のアンテナ・モジュール１０は第１のアンテナ１１および第２のアンテナ１２を含み、第２のアンテナ・モジュール２０は第３のアンテナ２１および第４のアンテナ２２を含む。この方法は、電子機器１が第１のアンテナ１１および第３のアンテナ２１を使って第１の伝送信号を受信するステップ（ステップ１）と、電子機器１が検出指示を受け取るステップ（ステップ２）と、コントローラ５０を使って第１のアンテナ１１をオフにし、第２のアンテナ１２および第２のアンテナ復号化装置４０をオンにして第２の伝送信号を受信するステップ（ステップ３）と、コントローラ５０が、第２のアンテナ１２の受信状態に従って、周囲に第２の伝送信号が存在するか否か判定するステップ（ステップ４）と、周囲に第２の伝送信号が存在する場合、制御モジュール６０が第３のアンテナ２１をオフにし、第４のアンテナ２２をオンにして第２の伝送信号を送受信するステップ（ステップ５）と、第２のアンテナ１２および第４のアンテナ２２を使って第２の伝送信号を送受信するステップ(ステップ６)と、周囲に第２の伝送信号が存在しない場合、制御モジュール６０が第２のアンテナ復号化装置４０および第２のアンテナ１２をオフにし、第１のアンテナ１１を駆動するステップ（ステップ７）と、第１のアンテナ１１および第３のアンテナ２１を使って第１の伝送信号を受信するステップ（ステップ８）とを含む。
【００３６】
ステップ１で、電子機器１は、第１のアンテナ１１および第３のアンテナ２１を使って第１の伝送信号を受信する。上述の第１の伝送信号は３Ｇ無線信号である。
【００３７】
ステップ２で、電子機器１は、検出指示を受け取る。上述の第１の伝送信号は３Ｇ無線信号であり、検出指示は、それだけに限らないが、数秒間を含む特定の時間間隔ごとに自動的に生成され、または押ボタン(図示せず)をトリガすることによって手動で生成され得る。
【００３８】
ステップ３で、電子機器１は、コントローラ５０を使って第１のアンテナ１１をオフにし、第２のアンテナ１２および第２のアンテナ復号化装置４０をオンにして第２の伝送信号を受信できるようになる。上述の第２の伝送信号はＷｉ−Ｆｉ無線信号である。
【００３９】
ステップ４で、コントローラ５０は、第２のアンテナ１２の受信状態に従って、周囲に第２の伝送信号が存在するか否か判定する。コントローラ５０は、第２の伝送信号の強度（ＲＳＳＩ）に従って、第２の伝送信号の存在を判定する。
【００４０】
ステップ５および６で、電子機器１が位置する周囲に第２の伝送信号が存在する場合、制御モジュール６０は、伝送コストを節約するために、第３のアンテナ２１をオフにして第４のアンテナ２２をオンにし、第２のアンテナ１２および第４のアンテナ２２を使って第２の伝送信号を送受信する。
【００４１】
ステップ７および８で、電子機器１が位置する周囲に第２の伝送信号が存在しない場合、または第２の伝送信号の強度が十分に大きくない場合、制御モジュール６０は、第２のアンテナ復号化装置４０および第２のアンテナ１２をオフにし、第１のアンテナ１１を駆動し、第１のアンテナ１１および第３のアンテナ２１を使って第１の伝送信号を受信する。したがって、上述のアンテナを切り換える方法は、この方法が電子機器１で使用されると、第１の伝送信号と第２の伝送信号を安定して切り換えることができ、伝送コストを節約することができる。
【００４２】
さらに、本発明は、アンテナ・モジュールにおいて２つの異なるアンテナを使用するデュアル・アンテナ構造１０を備えるアンテナ・モジュールも提供し、それによって、電子機器は、２つの異なる種類の伝送信号を受信し、アンテナの動作時に発生する干渉を防止するためにアンテナ・モジュールの画面上の使用可能スペースを低減することができる。アンテナ・モジュール１０は、第１の伝送信号を受信するために第１のアンテナ復号化装置３０に結合された第１のアンテナ１１と、第２の伝送信号を受信するために第２のアンテナ復号化装置４０に結合された第２のアンテナ１２とを備え、アンテナ・モジュール１０が位置する周囲に第２の伝送信号が存在する場合には、第２のアンテナ復号化装置４０が、第２の伝送信号を最優先で使って無線伝送を行い、その周囲に第２の伝送信号が存在しない場合には、第１のアンテナ復号化装置３０が第１の伝送信号を使って無線伝送行う。アンテナ・モジュール１０は、電子機器の画面の一辺に配置され、信号間に発生する干渉を防止するために、第１のアンテナ復号化装置３０または第２のアンテナ復号化装置４０によってオンまたはオフにされ得る。さらに、第１の伝送信号は、それだけに限らないが、３Ｇ移動電話信号を含み、第２の伝送信号は、それだけに限らないが、Ｗｉ−Ｆｉ無線信号を含む。
【００４３】
したがって、本発明のアンテナを切り換える方法は、電子機器１がオンにされたときに、伝送コストを節約するために、第１の伝送信号と第２の伝送信号を安定して切り換えるのに使用することができる。本発明は、明確に、従来のデュアル・アンテナ構造を備える電子機器の欠点を克服することができる。
【００４４】
本発明は、実行可能な解決策を提供し、かつ従来技術を改善するものであり、本発明の出願をしかるべく正式に行うものである。しかしながら、本明細書に開示する好ましい実施形態および添付の図面は本発明を限定するためのものではないことに留意すべきである。そうではなく、様々な改変ならびに類似の構成および手順をカバーすることを意図するものであり、よって、添付の特許請求の範囲の適用範囲には、そのようなすべての改変ならびに類似の構成および手順を包含するように、最大限の解釈が許されるべきである。
【図面の簡単な説明】
【００４５】
【図１】本発明の好ましい実施形態によるデュアル・アンテナ構造を備える電子機器を示す概略的ブロック図である。
【図２】本発明のデュアル・アンテナ構造を備える電子機器のレイアウトを示す概略図である。
【図３】本発明の別の好ましい実施形態によるデュアル・アンテナ構造を備える電子機器を示す概略的ブロック図である。
【図４】本発明の好ましい実施形態による、デュアル・アンテナ構造を備える電子機器がオンにされたときにアンテナを切り換える方法を示す流れ図である。
【図５】本発明の好ましい実施形態による、デュアル・アンテナ構造を備える電子機器が使用されるときにアンテナを切り換える方法を示す流れ図である。
【符号の説明】
【００４６】
１  デュアル・アンテナ構造を備える電子機器
２  デュアル・アンテナ構造を備える電子機器
１０  第１のアンテナ・モジュール
１１  第１のアンテナ
１２  第２のアンテナ
２０  第２のアンテナ・モジュール
２１  第３のアンテナ
２２  第４のアンテナ
３０  第１のアンテナ復号化装置
３１  ドライバ・プログラム
４０  第２のアンテナ復号化装置
４１  ドライバ・プログラム
５０  コントローラ
６０  制御モジュール
１１０  第１のアンテナ・モジュール
１１１  第１のアンテナ
１１２  第２のアンテナ
１２０  第２のアンテナ・モジュール
１２１  第３のアンテナ
１２２  第４のアンテナ
１３０  第１のアンテナ復号化装置
１３１  ドライバ・プログラム
１４０  第２のアンテナ復号化装置
１４１  ドライバ・プログラム
１５０  第３のアンテナ復号化装置
１５１  ドライバ・プログラム
１６０  コントローラ
１７０  制御モジュール
【図１】
2007251912.tif 000003
【図２】
2007251912.tif 000004
【図３】
2007251912.tif 000005
【図４】
2007251912.tif 000006
【図５】
2007251912.tif 000007